(57)【特許請求の範囲】
【請求項１】
本体部と、前記本体部に着脱可能な投写光学装置と、
を備え、
前記本体部は、
光源および前記光源から射出された光を変調する光変調装置を有する光学ユニットと、
前記光学ユニットを収納する外装筐体と、
当該本体部と前記投写光学装置との係合を解除するレバーと、
を備え、
前記投写光学装置は、
入射する光を屈折させ、第１方向に射出する第１光学系と、
前記第１光学系から射出された光を前記第１方向に交差する第２方向に反射する第１反射部、および前記第２方向に進行した光を前記第１方向とは反対側となる第３方向に反射する第２反射部を有する第２光学系と、
前記第２光学系から射出された光を屈折させ、前記第３方向に射出する第３光学系と、
前記第１光学系を収納する第１収納部と、
前記第２光学系を収納する第２収納部と、
前記第３光学系を収納する第３収納部と、
を備え、
前記第３収納部の前記第１収納部側における前記第３方向の端部には、切欠き部が設けられ、
前記切欠き部は、前記第２光学系から遠ざかる程、前記第３光学系の光軸に近づくように傾斜する傾斜部、および前記第１収納部とは反対側に凹む凹部の少なくともいずれかであり、
前記投写光学装置は、前記光学ユニットから射出される光が前記第１光学系に入射し、
前記第３収納部は、前記本体部に対して前記第２方向に配置され、
前記レバーは、前記外装筐体から露出し、前記第２方向から見て前記第３収納部と重なる位置に配置されることを特徴とするプロジェクター。
【請求項２】
請求項１に記載のプロジェクターであって、
前記第３光学系は、入射する光を広角化させるレンズを備えていることを特徴とするプロジェクター。
【請求項３】
請求項１または２に記載のプロジェクターであって、
前記外装筐体は、前記第２収納部の少なくとも一部が挿入される第１の窪み部を有していることを特徴とするプロジェクター。
【請求項４】
請求項１から請求項３のいずれか一項に記載のプロジェクターであって、
前記外装筐体は、前記第３収納部側となる第１外面、および前記第１外面から窪む第２の窪み部を有し、
前記第２の窪み部には、前記レバーを露出させる露出孔が設けられていることを特徴とするプロジェクター。
【請求項５】
請求項４に記載のプロジェクターであって、
前記レバーは、前記第２の窪み部から突出しないように配置され、
前記投写光学装置が取り外された状態で、前記第２の窪み部に嵌合し、前記外装筐体に着脱可能なカバーを備えていることを特徴とするプロジェクター。
【発明の詳細な説明】
【技術分野】
【０００１】
本発明は、投写光学装置、およびプロジェクターに関する。
【背景技術】
【０００２】
従来、光源から射出された光を画像情報に応じて変調する光変調装置と、光変調装置にて変調された光を投写面に投写する投写光学装置とを備えたプロジェクターが知られている。そして、異なる投写光学装置を使用できるように、投写光学装置を交換可能とする技術（例えば、特許文献１参照）や、投写面に近接して配置できるように、投写光学装置の光学系を屈曲させた技術（例えば、特許文献２参照）が提案されている。
【０００３】
特許文献１に記載の技術は、交換レンズ着脱装置を備える。交換レンズ着脱装置は、着脱機構、着脱支援機構、およびロック機構を備える。着脱機構は、操作レバー部を有し、ロック機構は、操作ボタン部を有している。交換レンズ（投写光学装置）がプロジェクター本体に装着される場合、交換レンズは、プロジェクター本体に挿入された後、操作レバー部の操作により回動される。そして、交換レンズは、所定の位置まで回動変位させると、ロック機構によりロックされる。一方、交換レンズがプロジェクター本体から取り外される場合、操作ボタン部が押圧されることにより、交換レンズは、ロックが解除され、操作レバー部の操作により上述とは反対方向に回動され、所定の位置で取り外しが可能となる。
特許文献２には、第１の中継レンズ群、方向変更光学素子、および広角レンズ系を有し、光の方向を約１８０°変えるように構成されたレンズ系（投写光学装置）を備えるプロジェクターが開示されている。
【先行技術文献】
【特許文献】
【０００４】
【特許文献１】特開２０１０−７８７７６号公報
【特許文献２】特許第５２６６６４２号公報
【発明の概要】
【発明が解決しようとする課題】
【０００５】
しかしながら、特許文献１に記載の技術では、操作レバー部および操作ボタン部が交換レンズ（投写光学装置）と同一側に露出しているため、投写光学装置の交換以外で、操作レバー部や操作ボタン部が誤操作されてしまう恐れや、製品外観が損なわれてしまうという課題がある。
特許文献２においては、レンズ系がプロジェクター本体に分離可能に結合可能とは記載されているが、具体的な交換の方法や機構については一切記載されていない。また、特許文献１に記載の技術を特許文献２のプロジェクターに用いることが考えられるが、特許文献１に記載の技術は、レンズ系（投写光学装置）を回動させる構成なので、レンズ系における広角レンズ系とプロジェクター本体とが干渉しないように、互いを離間させる必要がある。すなわち、レンズ系を含むプロジェクターが大型化するという課題も生じる。
【課題を解決するための手段】
【０００６】
本発明は、上述の課題の少なくとも一部を解決するためになされたものであり、以下の形態または適用例として実現することが可能である。
【０００７】
［適用例１］本適用例に係る投写光学装置は、入射する光を屈折させ、第１方向側に射出する第１光学系と、前記第１光学系から射出された光を前記第１方向に交差する第２方向に反射する第１反射部、および前記第２方向に進行した光を前記第１方向側とは反対側となる第３方向側に反射する第２反射部を有する第２光学系と、前記第２光学系から射出された光を屈折させ、前記第３方向側に射出する第３光学系と、前記第１光学系を収納する第１収納部と、前記第２光学系を収納する第２収納部と、前記第３光学系を収納する第３収納部と、を備え、前記第３収納部の前記第１収納部側における前記第３方向側の端部には、切欠き部が設けられ、前記切欠き部は、前記第２光学系から遠ざかる程、前記第３光学系の光軸に近づくように傾斜する傾斜部、および前記第１収納部とは反対側に凹む凹部の少なくともいずれかであることを特徴とする。
【０００８】
この構成によれば、投写光学装置は、光学系が概略Ｕ字状に屈曲している。すなわち、第１光学系を収納する第１収納部と、第３光学系を収納する第３収納部とは、互いに対向するように配置される。そして、第３収納部の第１収納部側における第３方向側の端部には、切欠き部が設けられている。これによって、第１方向に沿う方向における光学系を小型化すると共に、この投写光学装置を搭載する機器において、切欠き部によって空間を生じさせ、この空間から機器の操作を可能とする投写光学装置の提供が可能となる。
【０００９】
［適用例２］上記適用例に係る投写光学装置において、前記第３光学系は、入射する光を広角化させるレンズを備えていることが好ましい。
【００１０】
この構成によれば、投写光学装置は、第３光学系が入射する光を広角化させるレンズを備えているので、投写面に近い位置での投写が可能となる。
【００１１】
［適用例３］本適用例に係るプロジェクターは、本体部と、前記本体部に着脱可能な上記に記載の投写光学装置と、を備え、前記本体部は、光源および前記光源から射出された光を変調する光変調装置を有する光学ユニットと、前記光学ユニットを収納する外装筐体と、当該本体部と前記投写光学装置との係合を解除するレバーと、を備え、前記投写光学装置は、前記光学ユニットから射出される光が前記第１光学系に入射し、前記第３収納部が前記本体部の前記第２方向側に配置され、前記レバーは、前記外装筐体から露出し、前記第２方向側から見て前記第３収納部と重なる位置に配置されていることを特徴とする。
【００１２】
この構成によれば、第３収納部を外装筐体に近づけて配置しても、第２方向側から見て第３収納部と重なる位置に配置されたレバーを切欠き部と外装筐体との間から操作することができる。よって、小型化を図りつつ、レバーを外観から見えにくい位置に配置できることによるレバー誤操作の防止、および外観を向上させたプロジェクターが可能となる。
【００１３】
［適用例４］上記適用例に係るプロジェクターにおいて、前記外装筐体は、前記第２収納部の少なくとも一部が挿入される第１の窪み部を有していることが好ましい。
【００１４】
この構成によれば、第１方向に沿う方向におけるプロジェクターの小型化が可能となる。また、本体部と投写光学装置とが一体化されたプロジェクターとして視認させることが可能なので、プロジェクターの外観の向上が可能となる。
【００１５】
［適用例５］上記適用例に係るプロジェクターにおいて、前記外装筐体は、前記第３収納部側となる第１外面、および前記第１外面から窪む第２の窪み部を有し、前記第２の窪み部には、前記レバーを露出させる露出孔が設けられていることが好ましい。
【００１６】
この構成によれば、プロジェクターは、投写光学装置に設けられた切欠き部に加え、外装筐体に設けられた第２の窪み部を有しているので、第３収納部をさらに外装筐体に近づけて配置しても、レバーの操作が可能となる。よって、プロジェクターのさらなる小型化が可能となる。
【００１７】
［適用例６］上記適用例に係るプロジェクターにおいて、前記レバーは、前記第２の窪み部から突出しないように配置され、前記投写光学装置が取り外された状態で、前記第２の窪み部に嵌合し、前記外装筐体に着脱可能なカバーを備えていることが好ましい。
【００１８】
この構成によれば、プロジェクターは、上述したカバーを備えているので、本体部にカバーが装着された状態で、光学系がＵ字状とは異なる他の投写光学装置、例えば、第１方向側に画像を投写する投写光学装置等が装着可能となるように構成することができる。これによって、プロジェクターは、本体部に他の投写光学装置が装着される場合には、カバーによって、レバーが覆われると共に、第２の窪み部による外装筐体の段差を認識させないようにすることができる。よって、他の投写光学装置が装着される場合のプロジェクターにおいて、レバーの誤操作の確実な防止、および外観を向上させることが可能となる。
【図面の簡単な説明】
【００１９】
【図１】本実施形態のプロジェクターを模式的に示す側面図。
【図２】本実施形態のプロジェクターの一部を示す斜視図。
【図３】本実施形態の本体部の主な構成を示す模式図。
【図４】本実施形態の本体部における前面部および上面部の一部、およびカバーを示す斜視図。
【図５】本実施形態のプロジェクターの部分断面図。
【図６】本実施形態の本体部にカバーが装着された状態を示す斜視図。
【発明を実施するための形態】
【００２０】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。
【００２１】
〔プロジェクターの主な構成〕
図１は、本実施形態のプロジェクター１を模式的に示す側面図である。図２は、プロジェクター１の一部を示す斜視図である。
プロジェクター１は、図１、図２に示すように、光学ユニット３を有する本体部１Ａ、本体部１Ａに着脱可能な投写光学装置１Ｂ、および本体部１Ａに投写光学装置１Ｂが装着されない状態で本体部１Ａに着脱可能なカバー６（図４参照）を備えている。
本体部１Ａは、第１方向１０Ｄ側に光を射出する。投写光学装置１Ｂは、図１に示すように、側面側から見て概略Ｕ字状に屈曲された光学系を備え、光学ユニット３から射出された光を第１方向１０Ｄ、および第１方向１０Ｄに交差する第２方向２０Ｄに進行させた後、第１方向１０Ｄ側とは反対側となる第３方向３０Ｄ側に射出する。なお、説明の便宜上、第１方向１０Ｄを前方、第２方向２０Ｄを上方、第３方向３０Ｄ側から見たプロジェクター１の右側を右方として記載する。
【００２２】
〔本体部の構成〕
図３は、本体部１Ａの主な構成を示す模式図である。
本体部１Ａは、図３に示すように、外装筐体２、外装筐体２に収納される制御部（図示省略）、光学ユニット３、および着脱機構７を備えている。また、図示は省略するが、本体部１Ａは、光学ユニット３の光源装置３１や制御部等に電力を供給する電源装置、および光学ユニット３や電源装置を冷却する冷却装置を備える。
【００２３】
外装筐体２は、合成樹脂製の部材が複数組み合わされて構成されており、図１、図２に示すように、前側（第１方向１０Ｄ側）を形成する前面部２Ｆ、上側（第２方向２０Ｄ側）を形成する上面部２Ｕ、後側（第３方向３０Ｄ側）を形成する背面部２Ｂ等を有している。上面部２Ｕの外面２Ｕａは、第１外面に相当する。
【００２４】
図４は、本体部１Ａにおける前面部２Ｆおよび上面部２Ｕの一部、およびカバー６を示す斜視図である。
前面部２Ｆには、図４に示すように、第３方向３０Ｄ側に窪む第１の窪み部２１が設けられている。第１の窪み部２１は、上側が開口しており、中央には、前後方向に貫通する貫通孔２２が形成されている。投写光学装置１Ｂは、一部（後述する第２収納部５２の一部）が第１の窪み部２１に挿入され、一部（後述する第１収納部５１の円筒部５１１、図１参照）が貫通孔２２に挿通されて、本体部１Ａに装着される。
【００２５】
また、上面部２Ｕには、図４に示すように、第１の窪み部２１に倣い、外面２Ｕａ（第１外面）から窪む第２の窪み部２３が形成されている。第２の窪み部２３の上面２３Ｕには、着脱機構７の後述するレバー７１１，７２１が露出する露出孔２３ｈが形成されている。露出孔２３ｈは、平面視矩形状に形成され、周縁には、上側に向かう程広がる斜面２３ｓが形成されている。なお、図示は省略するが、外装筐体２には、外気を取り込む吸気口や、外装筐体２内部の温まった空気を外部に排気する排気口等が設けられている。
【００２６】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２７】
光学ユニット３は、制御部による制御の下、光源装置３１から射出された光を光学的に処理し、投写光学装置１Ｂに射出する。
光学ユニット３は、図３に示すように、光源装置３１に加え、インテグレーター照明光学系３２、色分離光学系３３、リレー光学系３４、光学装置３５、およびこれらの光学部品を光路上の所定位置に配置する光学部品用筐体３７を備える。
【００２８】
光源装置３１は、超高圧水銀ランプやメタルハライドランプ等からなる放電型の光源３１１、およびリフレクター３１２等を備える。光源装置３１は、光源３１１から射出された光をリフレクター３１２にて反射し、インテグレーター照明光学系３２に向けて射出する。
【００２９】
インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリクス状に配列された構成を有しており、光源装置３１から射出された光を複数の部分光に分割する。第２レンズアレイ３２２は、第１レンズアレイ３２１と略同様の構成を有しており、重畳レンズ３２４と共に、部分光を光変調装置３５１の表面に略重畳させる。偏光変換素子３２３は、第２レンズアレイ３２２から射出されたランダム光を光変調装置で利用可能な略１種類の偏光光に揃える機能を有している。
【００３０】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３１】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３２】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
光変調装置３５１は、透過型の液晶パネル、液晶パネルの光入射側に配置された入射側偏光板、および液晶パネルの光射出側に配置された射出側偏光板を備える。
光変調装置３５１は、図示しない複数の微小画素がマトリクス状に形成された矩形状の画像形成領域を有する。各画素が画像情報に応じた光透過率に設定され、画像形成領域内には、表示画像が形成される。そして、各色光は、光変調装置３５１にて変調された後、クロスダイクロイックプリズム３５２に射出される。
【００３３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３４】
着脱機構７は、投写光学装置１Ｂの本体部１Ａへの係合、および解除が可能に構成されている。投写光学装置１Ｂは、レバー７１１，７２１を有し、このレバー７１１，７２１が作業者によって操作されて本体部１Ａに着脱される。着脱機構７の概略の構成については、後で説明する。
【００３５】
〔投写光学装置の構成〕
投写光学装置１Ｂは、複数のレンズを備え、クロスダイクロイックプリズム３５２にて合成された光を、プロジェクター１の後方側（第３方向３０Ｄ側）に配置された投写面に拡大投写する。
投写光学装置１Ｂは、図１、図２に示すように、第１光学系４１、第２光学系４２、および第３光学系４３と、これらの光学系を収納する収納部５とを備え、前述したように、光学系が概略Ｕ字状に構成されている。収納部５は、第１光学系４１を収納する第１収納部５１、第２光学系４２を収納する第２収納部５２、および第３光学系４３を収納する第３収納部５３を有している。
【００３６】
投写光学装置１Ｂは、図１に示すように、クロスダイクロイックプリズム３５２から射出される光が第１光学系４１に入射し、第３光学系４３が外装筐体２（上面部２Ｕ）の上方に位置するように配置される。すなわち、第３収納部５３は、本体部１Ａの第２方向２０Ｄ側に配置され、外装筐体２の外面２Ｕａは、第３収納部５３側となる。
【００３７】
第１光学系４１は、複数のレンズを有し（図１では１つのレンズを図示）、本体部１Ａのクロスダイクロイックプリズム３５２から射出された光を屈折させ、第１方向１０Ｄ側に射出する。
【００３８】
第２光学系４２は、第１反射部４２１および第２反射部４２２を有している。
第１反射部４２１は、第１光学系４１の前方に配置され、第１光学系４１から射出された光を第２方向２０Ｄ側に反射する。第２反射部４２２は、第２方向２０Ｄに進行した光を第３方向３０Ｄ側に反射する。なお、第２光学系４２は、第１反射部４２１および第２反射部４２２に加え、レンズを有する構成であってもよい。
【００３９】
第３光学系４３は、複数のレンズを有し（図１では１つのレンズを図示）、第２光学系４２から射出された光を屈折させ、第３方向３０Ｄ側に射出する。また、第３光学系４３は、入射する光を広角化させるレンズを備え、第２光学系４２から射出された光を広角化して上方にあおり投写を行う。すなわち、投写光学装置１Ｂは、第３方向３０Ｄ側で第２方向２０Ｄにおいて本体部１Ａの上方に配置された投写面（図示省略）に画像を投写する。また、投写光学装置１Ｂは、投写面に近い位置での投写が可能で、プロジェクター１は、投写光学装置１Ｂが装着されることで、短焦点プロジェクターとして機能する。
【００４０】
第１収納部５１は、図１に示すように、光入射側に円筒部５１１を有し、この円筒部５１１が第１の窪み部２１の貫通孔２２（図４参照）から挿入される。そして、この円筒部５１１の外周には、第１光学系４１の光軸４１Ａｘを中心とする円周方向に断続的に設けられた複数の突起５１１ａが形成されている。
【００４１】
第２収納部５２は、第１反射部４２１が配置される部位と、第２反射部４２２が配置される部位との間が断面矩形状に形成されている。
第２収納部５２は、図１、図２に示すように、一部が外装筐体２の第１の窪み部２１に挿入されて配置される。
【００４２】
第３収納部５３は、図２に示すように、第３方向３０Ｄ側から見て外形が矩形状に形成され、外装筐体２側には、第３方向３０Ｄ側に突出する突出部５３１が形成されている。
図５は、プロジェクター１の部分断面図であり、第３収納部５３、および第３収納部５３近傍の本体部１Ａを左方から見た図である。
突出部５３１は、図５に示すように、第３光学系４３の最も光射出側に配置されるレンズ４３１の外装筐体２側の端部を覆うように形成されている。投写光学装置１Ｂは、前述したように、あおり投写を行うように形成されているので、このように、レンズ４３１における画像の投写に寄与しない部位を覆うことができる。
【００４３】
また、第３収納部５３は、図５に示すように、本体部１Ａ側（第１収納部５１側）を形成する下面部５３Ｄを有している。
下面部５３Ｄは、外装筐体２の上面部２Ｕに対向する対向部５３２、および切欠き部５３３を有している。
切欠き部５３３は、対向部５３２の後方側（第３方向３０Ｄ側）に設けられ、第３収納部５３の本体部１Ａ側（第１収納部５１側）における第３方向３０Ｄ側の端部を形成する。切欠き部５３３は、図５に示すように、突出部５３１の下方に設けられた凹部５３３ａ、および凹部５３３ａと対向部５３２との間に設けられた傾斜部５３３ｂを有している。
【００４４】
凹部５３３ａは、外装筐体２（第１収納部５１）とは反対側に凹んでいる。傾斜部５３３ｂは、図２に示すように、左右方向における第３収納部５３の中央に設けられ、図５に示すように、凹部５３３ａの第１方向１０Ｄ側の端部から対向部５３２に向かって傾斜している。具体的に、傾斜部５３３ｂは、第２光学系４２から遠ざかる程、第３光学系４３の光軸４３Ａｘ（図１参照）に近づくように傾斜している。
また、図５に示すように、対向部５３２の一部、傾斜部５３３ｂ、および凹部５３３ａの一部は、第２の窪み部２３の上方に位置するように形成されている。そして、露出孔２３ｈ周縁の斜面２３ｓは、対向部５３２および傾斜部５３３ｂの下方に位置するように形成されている。
【００４５】
〔着脱機構の概略構成〕
ここで、着脱機構７の概略構成について説明する。
詳細な説明は省略するが、着脱機構７は、ベース部材（図示省略）、第１回転部材７１、第２回転部材７２（図１参照）、およびバネ（図示省略）を備えている。
図示しないベース部材は、第１収納部５１の円筒部５１１（図１参照）が挿通される挿通孔を有し、光学部品用筐体３７に固定されている。
【００４６】
第１回転部材７１は、円筒部５１１が挿通される挿通孔を有し、端部には、図４に示すように、露出孔２３ｈから露出するレバー７１１が設けられている。
第２回転部材７２は、円筒部５１１が挿入される挿通孔を有し、端部には、露出孔２３ｈから露出するレバー７２１（図４参照）が設けられている。すなわち、レバー７１１，７２１は、第３収納部５３の下方に位置している。換言すると、レバー７１１，７２１は、第１収納部５１と第３収納部５３との間で、第２方向２０Ｄ側から見て第３収納部５３と重なる位置に配置されている。また、レバー７１１，７２１は、図５に示すように、第２の窪み部２３から突出しないように配置されている。
また、第１回転部材７１および第２回転部材７２の挿通孔は、複数の突起５１１ａを挿通させない部位、および複数の突起５１１ａを挿通させる切欠き（いずれも図示省略）を有している。
【００４７】
第１回転部材７１および第２回転部材７２は、光軸４１Ａｘを同軸としてベース部材に回転可能に支持される。また、第１回転部材７１は、第２回転部材７２に対し、図示しないバネで回転方向に付勢され、図４に示すように、レバー７１１とレバー７２１とが、回転方向において所定の距離隔てて配置される。所定の距離とは、作業者が指先で把持可能な距離である。
【００４８】
第１回転部材７１および第２回転部材７２は、レバー７１１，７２１が作業者の指先で把持されると、バネの付勢力に抗して第１回転部材７１が回転し、レバー７１１がレバー７２１に近接した状態となる。第１回転部材７１および第２回転部材７２は、レバー７１１がレバー７２１に近接した状態で、回転方向における所定の位置で投写光学装置１Ｂが挿通可能な第１状態となり、第１状態から回転されると突起５１１ａが係合する第２状態となる。そして、第１回転部材７１および第２回転部材７２は、第２状態において、レバー７１１，７２１から作業者の指が外されると、第１回転部材７１がバネに付勢され、図示しない部材に係合して第２状態が維持される第３状態となる。すなわち、投写光学装置１Ｂは、レバー７１１，７２１が操作され、第１状態において、円筒部５１１が第１回転部材７１および第２回転部材７２に挿通され、第２状態を介して第３状態で本体部１Ａにロックされる。
【００４９】
一方、投写光学装置１Ｂは、第３状態からレバー７１１，７２１が指先で把持されるとロックが解除され、第１回転部材７１および第２回転部材７２が所定の位置まで回転されると、本体部１Ａとの係合が解除され、本体部１Ａからの取り外しが可能となる。なお、第２の窪み部２３における上面２３Ｕの露出孔２３ｈの左右両側には、第１状態および第２状態の回転方向を明示する刻印が設けられている。
【００５０】
このように、第３収納部５３には、切欠き部５３３が形成され、この切欠き部５３３の下方にレバー７１１，７２１が配置されているので、対向部５３２が本体部１Ａ（外装筐体２）と近接して配置されていても、作業者の指先が切欠き部５３３と外面２Ｕａとの間から挿入され、レバー７１１，７２１を操作可能とする空間を確保することができる。
【００５１】
また、本体部１Ａは、概略Ｕ字状の光学系を有する投写光学装置１Ｂ以外の他の投写光学装置（図示省略）も着脱可能に構成され、他の投写光学装置が装着される際には、図４に示すカバー６が装着される。
カバー６は、図４に示すように、第１の窪み部２１の上側、および第２の窪み部２３に嵌合するように形成されている。
カバー６には、図４に示すように、第３方向３０Ｄ側の端部から突出する係合部６１、および左右両側からそれぞれ突出する突起部６２が設けられている。カバー６は、第１方向１０Ｄ側から第３方向３０Ｄ側にスライドされて外装筐体２に装着される。具体的に、カバー６は、左右の突起部６２が第１の窪み部２１に設けられたガイド部２１１に案内され、係合部６１が上面部２Ｕに設けられた挿入孔２４に挿入されて外装筐体２に装着される。また、カバー６は、係合部６１が挿入孔２４の内部に設けられた被係合部（図示省略）に係合して装着された状態が維持される。
【００５２】
図６は、本体部１Ａにカバー６が装着された状態を示す斜視図である。カバー６は、図４、図６に示すように、露出孔２３ｈを覆い、図６に示すように、外面２Ｕａに倣う形状を有している。そして、カバー６は、第１の窪み部２１の周縁部とで、開口部を形成する。この、カバー６が装着された本体部１Ａは、カバー６に干渉しないように形成された他の投写光学装置、例えば、第１方向１０Ｄ側に画像を投写する投写光学装置等が装着可能となる。
本体部１Ａは、カバー６が第３方向３０Ｄ側から第１方向１０Ｄ側にスライドされて、外装筐体２から取り外されると、前述した投写光学装置１Ｂの本体部１Ａへの装着が可能となる。
【００５３】
以上説明したように、本実施形態によれば、以下の効果を得ることができる。
（１）投写光学装置１Ｂは、光学系が概略Ｕ字状に屈曲されているので、前後方向（第１方向１０Ｄに沿う方向）を小型化することができる。また、第３収納部５３の第１収納部５１側には、第３方向３０Ｄ側の端部に切欠き部５３３が設けられている。これによって、対向部５３２、すなわち、第３収納部５３を外装筐体２に近づけて配置しても、レバー７１１，７２１を切欠き部５３３と外装筐体２との間から操作することができる。よって、小型化を図りつつ第３収納部５３近傍に配置されているレバー７１１，７２１を操作できる投写光学装置１Ｂの提供が可能となる。
【００５４】
（２）プロジェクター１は、レバー７１１，７２１が第３収納部５３の下方に位置している。これによって、レバー７１１，７２１が外部から見えにくい位置に配置されることによるレバー７１１，７２１の誤操作の防止、および外観を向上させたプロジェクター１の提供が可能となる。
【００５５】
（３）プロジェクター１は、投写光学装置１Ｂが入射する光を広角化させるレンズを備えているので、投写面に近い位置での投写が可能となる。
【００５６】
（４）プロジェクター１は、外装筐体２の第１の窪み部２１に第２収納部５２の一部が挿入されるように構成されている。これによって、前後方向（第１方向１０Ｄに沿う方向）におけるプロジェクター１の小型化が可能となる。また、本体部１Ａと投写光学装置１Ｂとが一体化されたプロジェクター１として視認させることが可能なので、プロジェクター１の外観の向上が可能となる。
【００５７】
（５）プロジェクター１は、投写光学装置１Ｂに設けられた切欠き部５３３に加え、外装筐体２に設けられた第２の窪み部２３を有しているので、対向部５３２をさらに外装筐体２に近づけて配置しても、レバー７１１，７２１の操作が可能となる。よって、プロジェクター１のさらなる小型化が可能となる。
【００５８】
（６）プロジェクター１は、本体部１Ａから投写光学装置１Ｂが取り外された状態で、第１の窪み部２１および第２の窪み部２３に嵌合し、外装筐体２に着脱可能なカバー６を備えている。そして、本体部１Ａは、このカバー６が装着された状態で、他の投写光学装置が着脱可能に構成されている。これによって、プロジェクター１は、本体部１Ａに他の投写光学装置が装着される場合には、カバー６によって、レバー７１１，７２１が覆われると共に、第１の窪み部２１および第２の窪み部２３による外装筐体２の段差を認識させないようにすることができる。よって、他の投写光学装置が装着される場合のプロジェクター１において、レバー７１１，７２１の誤操作の確実な防止、および外観を向上させることが可能となる。
【００５９】
（変形例）
なお、前記実施形態は、以下のように変更してもよい。
前記実施形態の切欠き部５３３は、第３方向３０Ｄ側の端部から凹部５３３ａ、傾斜部５３３ｂの順で形成されているが、傾斜部、凹部の順で形成される構成であってもよい。
また、前記実施形態の切欠き部５３３は、凹部５３３ａと傾斜部５３３ｂとで構成されているが、凹部のみや傾斜部のみで構成される態様であってもよい。また、傾斜部においては、平坦状はもとより、全体として傾斜していれば部分的に凹凸を有してもよい。
【００６０】
前記実施形態の傾斜部５３３ｂは、左右方向における第３収納部５３の中央に設けられているが、左右方向において全てに亘って形成されていてもよい。
【００６１】
前記実施形態では、第１の窪み部２１と第２の窪み部２３とが繋がって形成されているが、第１の窪み部２１と第２の窪み部２３とが離間する形状であってもよい。この構成の場合、第２の窪み部２３に着脱されるカバーは、スライド方式による着脱ではなく、例えば、対向する二辺のうち、一辺を本体部に係合した後、他方を押圧することにより本体部に係合させる方式を例示することができる。
【００６２】
前記実施形態のプロジェクター１は、第２収納部５２の一部が外装筐体２に挿入されるように構成されているが、前後方向において、第２収納部５２の略全てが挿入されるように構成してもよく、第２収納部５２が外装筐体２に挿入されないように構成してもよい。
【００６３】
前記実施形態では、切欠き部５３３によって設けられる空間から操作される部材として、レバー７１１，７２１を示したが、レバー７１１，７２１以外の操作される部材が配置される構成にも適用可能である。
【００６４】
前記実施形態のプロジェクター１は、光変調装置３５１として透過型の液晶パネルを用いているが、反射型の液晶パネルを利用したものであってもよい。
また、前記実施形態の光変調装置３５１は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【００６５】
前記実施形態の光源装置３１は、放電型の光源３１１を採用しているが、その他の方式の光源や発光ダイオード、レーザー等の固体光源で構成してもよい。
【符号の説明】
【００６６】
１…プロジェクター、１Ａ…本体部、１Ｂ…投写光学装置、２…外装筐体、２Ｕａ…外面（第１外面）、３…光学ユニット、５…収納部、６…カバー、７…着脱機構、１０Ｄ…第１方向、２０Ｄ…第２方向、２１…第１の窪み部、２３…第２の窪み部、２３ｈ…露出孔、３０Ｄ…第３方向、３１…光源装置、４１…第１光学系、４１Ａｘ…光軸、４２…第２光学系、４３…第３光学系、４３Ａｘ…光軸、５１…第１収納部、５２…第２収納部、５３…第３収納部、３１１…光源、３５１，３５１Ｂ，３５１Ｇ，３５１Ｒ…光変調装置、３５２…クロスダイクロイックプリズム、４２１…第１反射部、４２２…第２反射部、５３３…切欠き部、５３３ａ…凹部、５３３ｂ…傾斜部、７１１，７２１…レバー。
【図１】
0006645230.tif 000002
【図２】
0006645230.tif 000003
【図３】
0006645230.tif 000004
【図４】
0006645230.tif 000005
【図５】
0006645230.tif 000006
【図６】
0006645230.tif 000007